(57)【特許請求の範囲】
【請求項１】
複数の発光ダイオードが順方向に直列接続されてなる第１発光部と、前記第１発光部における先頭の発光ダイオードのカソードにそれぞれのアノードが並列接続された複数の発光ダイオードからなる第２発光部と、前記第１発光部における最後尾の発光ダイオードのアノードに接続された正極端子と、前記第２発光部における少なくとも何れか１つの発光ダイオードのカソードに接続された第１負極端子と、前記第２発光部における複数の発光ダイオードのうちで前記第１負極端子に接続されていない発光ダイオードの少なくとも何れか１つのカソードに接続された第２負極端子と、前記第１負極端子と第２負極端子の間に接続されて前記発光ダイオードの電気特性に関する情報を保持する情報保持部とを備え、
点灯装置の出力が前記正極端子と前記第１負極端子又は第２負極端子との間に印加されるとともに、前記第１負極端子と前記第２負極端子との間に外部の電源から直流電圧が印加され、
前記情報保持部は、前記第１負極端子と前記第２負極端子との間に設けられた全波整流器を具備し、当該全波整流器を介して入力される電圧波形を前記情報に応じて整形することを特徴とする光源モジュール。
【請求項２】
複数の発光ダイオードが順方向に直列接続されてなる第１発光部と、前記第１発光部における先頭の発光ダイオードのカソードにそれぞれのアノードが並列接続された複数の発光ダイオードからなる第２発光部と、前記第１発光部における最後尾の発光ダイオードのアノードにそれぞれのカソードが並列接続された複数の発光ダイオードからなる第３発光部と、前記第３発光部における少なくとも何れか１つの発光ダイオードのアノードに接続された第１正極端子と、前記第３発光部における複数の発光ダイオードのうちで前記第１正極端子に接続されていない発光ダイオードの少なくとも何れか１つのアノードに接続された第２正極端子と、前記第２発光部における少なくとも何れか１つの発光ダイオードのカソードに接続された第１負極端子と、前記第２発光部における複数の発光ダイオードのうちで前記第１負極端子に接続されていない発光ダイオードの少なくとも何れか１つのカソードに接続された第２負極端子と、前記第１負極端子と第２負極端子の間に接続されて前記発光ダイオードの電気特性に関する情報を保持する情報保持部と、前記第１正極端子と第２正極端子の間に接続されて前記情報保持部と同じ情報を保持する第２情報保持部とを備え、
前記第２発光部における複数の発光ダイオードのうちで前記第１負極端子及び前記第２負極端子の何れとも接続されていない少なくとも２つの発光ダイオードのカソードがそれぞれ前記第１正極端子又は前記第２正極端子と接続され、
前記第３発光部における複数の発光ダイオードのうちで前記第１正極端子及び前記第２正極端子の何れとも接続されていない少なくとも２つの発光ダイオードのアノードがそれぞれ前記第１負極端子又は前記第２負極端子と接続され、
点灯装置の出力が前記第１正極端子又は第２正極端子と前記第１負極端子又は第２負極端子との間に印加されるとともに、前記第１正極端子と前記第２正極端子との間若しくは前記第１負極端子と前記第２負極端子との間に外部の電源から直流電圧が印加され、
前記情報保持部は、前記第１負極端子と前記第２負極端子との間に設けられた全波整流器を具備し、当該全波整流器を介して入力される電圧波形を前記情報に応じて整形し、
前記第２情報保持部は、前記第１正極端子と前記第２正極端子との間に設けられた全波整流器を具備し、当該全波整流器を介して入力される電圧波形を前記情報に応じて整形することを特徴とする光源モジュール。
【請求項３】
請求項１の光源モジュールを点灯する点灯装置であって、
電圧及び電流の双方が可変である直流出力を前記正極端子と前記第１負極端子又は前記第２負極端子の何れか１つとの間に印加する直流出力部と、前記第１負極端子と前記第２負極端子との間に直流電圧を印加する補助電源部と、前記第１負極端子と前記第２負極端子との間の電圧波形に基づいて前記情報保持部が保持する前記発光ダイオードの電気特性を判別する特性判別部と、前記第１負極端子と前記第２負極端子との間の電圧に基づいて前記光源モジュールの接続の有無を判定する接続判定部と、前記接続判定部が前記光源モジュールの接続無しと判定した場合は前記直流出力部の直流出力を停止させるとともに、前記接続判定部が前記光源モジュールの接続有りと判定した場合は前記特性判別部で判別される前記電気特性に応じて前記直流出力部の直流出力における電圧又は電流の少なくとも何れか一方を調整する出力調整部とを備えたことを特徴とする点灯装置。
【請求項４】
請求項２の光源モジュールを点灯する点灯装置であって、
電圧及び電流の双方が可変である直流出力を前記第１正極端子又は前記第２正極端子の何れか１つと前記第１負極端子又は前記第２負極端子の何れか１つとの間に印加する直流出力部と、前記第１負極端子と前記第２負極端子との間若しくは前記第１正極端子と前記第２正極端子との間に直流電圧を印加する補助電源部と、前記第１負極端子と前記第２負極端子との間若しくは前記第１正極端子と前記第２正極端子との間の電圧波形に基づいて前記情報保持部又は前記第２情報保持部が保持する前記発光ダイオードの電気特性を判別する特性判別部と、前記第１負極端子と前記第２負極端子との間若しくは前記第１正極端子と前記第２正極端子との間の電圧に基づいて前記光源モジュールの接続の有無を判定する接続判定部と、前記接続判定部が前記光源モジュールの接続無しと判定した場合は前記直流出力部の直流出力を停止させるとともに、前記接続判定部が前記光源モジュールの接続有りと判定した場合は前記特性判別部で判別される前記電気特性に応じて前記直流出力部の直流出力における電圧又は電流の少なくとも何れか一方を調整する出力調整部とを備えたことを特徴とする点灯装置。
【請求項５】
請求項３又は４の点灯装置を保持する器具本体と、当該器具本体に設けられ、請求項１又は請求項２の光源モジュールが着脱自在に装着されるソケットとを備えたことを特徴とする照明器具。
【発明の詳細な説明】
【技術分野】
【０００１】
本発明は、発光ダイオードを光源とする光源モジュール、およびその点灯装置、ならびにそれらを用いた照明器具に関する。
【背景技術】
【０００２】
従来、発光ダイオードを光源とする光源モジュール、およびその点灯装置、ならびにそれらを用いた照明器具が種々提供されている（例えば、特許文献１〜３参照）。従来の光源モジュールは、所望の明るさ（光束）を得るために複数個の発光ダイオードが直列接続されたり、あるいは複数個の発光ダイオードの直列回路が並列接続されている。そのため、点灯装置の出力（出力電圧や出力電流）は、直列接続又は直並列接続される発光ダイオードの個数に応じた出力とする必要がある。
【０００３】
特許文献２に記載されている従来例では、直列接続される発光ダイオードの個数が異なる３種類の光源モジュールが用意され、何れかの光源モジュールが点灯装置に接続されたときに点灯装置から光源モジュールに微少な電流を流すとともに、そのときの光源モジュールにおける電圧降下に基づいて光源モジュールの種類を判別している。そして、その判別結果に応じて、点灯装置から光源モジュールに印加される出力が調整されるようになっている。
【０００４】
また、特許文献３に記載されている従来例では、光源モジュールの種類に応じた電流情報を記憶する記憶部が光源モジュールに設けられ、点灯装置と光源モジュールが接続されたときに点灯装置の情報監視部が光源モジュールの記憶部から電流情報を読み出している。そして、点灯装置は、情報監視部で読み出した電流情報に応じて光源モジュールへの出力を調整している。
【先行技術文献】
【特許文献】
【０００５】
【特許文献１】特開２００９−２２４０４６号公報
【特許文献２】特開２００９−２８３２８１号公報
【特許文献３】特開２００９−２１１７５号公報（段落００３０〜段落００３２および図２参照）
【発明の概要】
【発明が解決しようとする課題】
【０００６】
ところで、照明用の白色発光ダイオードにおいては、現在のところ、順電圧が3.5[V]、順電流が0.3[A]という電気特性が一般的である。しかしながら、今後の技術進歩によって、例えば、順電圧が3.0[V]、順電流が0.2[A]というような電気特性を有した発光ダイオードが実用化される可能性がある。そして、新規な電気特性を有する発光ダイオードが実用化された場合、特許文献２に記載されている従来例では、そのような発光ダイオードを搭載した光源モジュールを既存の点灯装置で問題なく点灯させることは困難である。例えば、順電圧が3.5[V]、順電流が0.3[A]の発光ダイオードを７個直列接続した光源モジュールの順電圧は3.5×7=24.5[V]となり、順電圧が3.0[V]、順電流が0.2[A]の発光ダイオードを８個直列接続した光源モジュールの順電圧は3.0×8=24[V]となって順電圧に実質的な差は生じないものの、順電流に0.1[A]の差が生じてしまう。つまり、順電流が0.2[A]である光源モジュールに0.3[A]の過電流を流してしまうと異常な発熱が生じて故障または寿命劣化などの問題を生じる虞がある。
【０００７】
一方、特許文献３に記載されている従来例では、新規な電気特性の情報を記憶部に記憶しておくことにより、既存の点灯装置でも点灯させることができる可能性がある。
【０００８】
しかしながら、特許文献３に記載されている従来例では、フラッシュメモリのように電気的に書換可能な不揮発性の半導体メモリを搭載しなければならないため、光源モジュールの製造コストが上昇するという問題がある。また、特許文献３に記載されている従来例では、記憶部に動作電源を供給するための給電路とは別に、記憶部から情報を読み出すための信号線路が必要であるから、光源モジュールと点灯装置を接続する配線が複雑化してしまうという問題もある。
【０００９】
本発明は、上記課題に鑑みて為されたものであり、その目的は、製造コストの上昇と配線の複雑化を抑えつつ、電気特性が異なる複数種類の光源モジュールを共通の点灯装置で点灯させることを可能とする。
【課題を解決するための手段】
【００１０】
本発明の光源モジュールは、複数の発光ダイオードが順方向に直列接続されてなる第１発光部と、前記第１発光部における先頭の発光ダイオードのカソードにそれぞれのアノードが並列接続された複数の発光ダイオードからなる第２発光部と、前記第１発光部における最後尾の発光ダイオードのアノードに接続された正極端子と、前記第２発光部における少なくとも何れか１つの発光ダイオードのカソードに接続された第１負極端子と、前記第２発光部における複数の発光ダイオードのうちで前記第１負極端子に接続されていない発光ダイオードの少なくとも何れか１つのカソードに接続された第２負極端子と、前記第１負極端子と第２負極端子の間に接続されて前記発光ダイオードの電気特性に関する情報を保持する情報保持部とを備え、点灯装置の出力が前記正極端子と前記第１負極端子又は第２負極端子との間に印加されるとともに、前記第１負極端子と前記第２負極端子との間に外部の電源から直流電圧が印加され、前記情報保持部は、前記第１負極端子と前記第２負極端子との間に設けられた全波整流器を具備し、当該全波整流器を介して入力される電圧波形を前記情報に応じて整形することを特徴とする。
【００１１】
本発明の光源モジュールは、複数の発光ダイオードが順方向に直列接続されてなる第１発光部と、前記第１発光部における先頭の発光ダイオードのカソードにそれぞれのアノードが並列接続された複数の発光ダイオードからなる第２発光部と、前記第１発光部における最後尾の発光ダイオードのアノードにそれぞれのカソードが並列接続された複数の発光ダイオードからなる第３発光部と、前記第３発光部における少なくとも何れか１つの発光ダイオードのアノードに接続された第１正極端子と、前記第３発光部における複数の発光ダイオードのうちで前記第１正極端子に接続されていない発光ダイオードの少なくとも何れか１つのアノードに接続された第２正極端子と、前記第２発光部における少なくとも何れか１つの発光ダイオードのカソードに接続された第１負極端子と、前記第２発光部における複数の発光ダイオードのうちで前記第１負極端子に接続されていない発光ダイオードの少なくとも何れか１つのカソードに接続された第２負極端子と、前記第１負極端子と第２負極端子の間に接続されて前記発光ダイオードの電気特性に関する情報を保持する情報保持部と、前記第１正極端子と第２正極端子の間に接続されて前記情報保持部と同じ情報を保持する第２情報保持部とを備え、前記第２発光部における複数の発光ダイオードのうちで前記第１負極端子及び前記第２負極端子の何れとも接続されていない少なくとも２つの発光ダイオードのカソードがそれぞれ前記第１正極端子又は前記第２正極端子と接続され、前記第３発光部における複数の発光ダイオードのうちで前記第１正極端子及び前記第２正極端子の何れとも接続されていない少なくとも２つの発光ダイオードのアノードがそれぞれ前記第１負極端子又は前記第２負極端子と接続され、点灯装置の出力が前記第１正極端子又は第２正極端子と前記第１負極端子又は第２負極端子との間に印加されるとともに、前記第１正極端子と前記第２正極端子との間若しくは前記第１負極端子と前記第２負極端子との間に外部の電源から直流電圧が印加され、前記情報保持部は、前記第１負極端子と前記第２負極端子との間に設けられた全波整流器を具備し、当該全波整流器を介して入力される電圧波形を前記情報に応じて整形し、前記第２情報保持部は、前記第１正極端子と前記第２正極端子との間に設けられた全波整流器を具備し、当該全波整流器を介して入力される電圧波形を前記情報に応じて整形することを特徴とする。
【００１２】
本発明の点灯装置は、本発明の光源モジュールを点灯する点灯装置であって、電圧及び電流の双方が可変である直流出力を前記正極端子若しくは前記第１正極端子又は前記第２正極端子の何れか１つと前記第１負極端子又は前記第２負極端子の何れか１つとの間に印加する直流出力部と、前記第１負極端子と前記第２負極端子との間若しくは前記第１正極端子と前記第２正極端子との間に直流電圧を印加する補助電源部と、前記第１負極端子と前記第２負極端子との間若しくは前記第１正極端子と前記第２正極端子との間の電圧波形に基づいて前記情報保持部が保持する前記発光ダイオードの電気特性を判別する特性判別部と、前記第１負極端子と前記第２負極端子との間若しくは前記第１正極端子と前記第２正極端子との間の電圧に基づいて前記光源モジュールの接続の有無を判定する接続判定部と、前記接続判定部が前記光源モジュールの接続無しと判定した場合は前記直流出力部の直流出力を停止させるとともに、前記接続判定部が前記光源モジュールの接続有りと判定した場合は前記特性判別部で判別される前記電気特性に応じて前記直流出力部の直流出力における電圧又は電流の少なくとも何れか一方を調整する出力調整部とを備えたことを特徴とする。
【００１３】
本発明の照明器具は、本発明の点灯装置を保持する器具本体と、当該器具本体に設けられ、本発明の光源モジュールが着脱自在に装着されるソケットとを備えたことを特徴とする。
【発明の効果】
【００１４】
本発明の光源モジュール、点灯装置、照明器具は、製造コストの上昇と配線の複雑化を抑えつつ、電気特性が異なる複数種類の光源モジュールを共通の点灯装置で点灯させることが可能になるという効果がある。
【図面の簡単な説明】
【００１５】
【図１】実施形態１の光源モジュールを示す回路構成図である。
【図２】同上の光源モジュールの斜視図である。
【図３】同上における情報保持部の回路構成図である。
【図４】同上の点灯装置の回路構成図である。
【図５】同上の点灯装置の動作を説明するためのタイムチャートである。
【図６】同上の点灯装置の動作を説明するためのタイムチャートである。
【図７】同上における電気特性の説明図である。
【図８】同上の点灯装置の動作を説明するためのタイムチャートである。
【図９】実施形態２の光源モジュール並びに点灯装置の回路構成図である。
【図１０】実施形態３の光源モジュール並びに点灯装置の回路構成図である。
【図１１】同上における情報保持部の回路構成図である。
【図１２】同上の点灯装置の動作を説明するためのタイムチャートである。
【図１３】実施形態４の光源モジュールを示す回路構成図である。
【図１４】同上の光源モジュールの斜視図である。
【図１５】同上の照明器具の斜視図である。
【図１６】実施形態５の光源モジュール並びに点灯装置の回路構成図である。
【図１７】同上の点灯装置の動作を説明するための説明図である。
【図１８】同上における電気特性の説明図である。
【図１９】同上の点灯装置の動作を説明するためのタイムチャートである。
【図２０】同上における電気特性の説明図である。
【発明を実施するための形態】
【００１６】
（実施形態１）
本実施形態の光源モジュールＡ１は、図１に示すように第１発光部１、第２発光部２、情報保持部３、正極端子４、第１負極端子５、第２負極端子６を備えている。
【００１７】
第１発光部１は、電気特性が同一である複数（図示例では５個以上）の発光ダイオード１ａが順方向に直列接続されて構成されている。ただし、複数の発光ダイオード１ａが順方向に直列接続された複数の直列回路を互いに並列接続して第１発光部１を構成しても構わない。第２発光部２は、第１発光部１における先頭の発光ダイオード１ａのカソードにそれぞれのアノードが並列接続された複数（図示例では２個）の発光ダイオード２ａで構成されている。なお、第２発光部２を構成する発光ダイオード２ａの電気特性は同一である。ただし、第１発光部１を構成する発光ダイオード１ａと第２発光部２を構成する発光ダイオード２ａとは、光源モジュールＡ１の発光にむらがでないように電気特性及び光学特性が同一若しくは類似していることが望ましい。また、発光ダイオード１ａ，２ａの個数は上記個数に限定されるものではない。情報保持部３は、発光ダイオード１ａ，２ａの電気特性（順電圧又は順電流）に関する情報を保持するものであって、図３に示す回路構成を有している。ただし、情報保持部３の詳細な回路構成については後述する。
【００１８】
第１発光部１及び第２発光部２は、図２に示すように長尺の矩形平板状に形成されたプリント配線板７の片面（図２における上面）に実装されている（ただし、発光ダイオード１ａの図示は一部省略している）。また図示は省略しているが、プリント配線板７のもう片面（図２における下面）における長手方向の一端側に情報保持部３が実装されている。そして、透光性材料によって円筒形に形成された筐体８の内部にプリント配線板７が収納される。筐体８の両端が口金９で閉塞されており、プリント配線板７の両端部が口金９に支持されている。また、一方の口金９から丸ピン型の正極端子４が突設され、他方の口金９から同じく丸ピン型の第１負極端子５並びに第２負極端子６が突設されている。
【００１９】
正極端子４は、第１発光部１における最後尾の発光ダイオード１ａのアノードに電気的に接続されている。また第１負極端子５は、第２発光部２における複数の発光ダイオード２ａのうちの一方の発光ダイオード２ａのカソードに電気的に接続されている。さらに第２負極端子６は、第２発光部２における複数の発光ダイオード２ａのうちで第１負極端子５に接続されていない他方の発光ダイオード２ａのカソードに電気的に接続されている。
【００２０】
一方、本実施形態の点灯装置は、図４に示すように交流電源ＡＣから供給される交流電力を直流電力に変換して光源モジュールＡ１へ出力する直流出力部１０を備えている。この直流出力部１０は、従来周知の降圧チョッパ回路や昇降圧チョッパ回路などで構成されて、スイッチング素子のスイッチング周波数やオンデューティ比を制御することで出力電圧及び出力電流の双方が可変となっている。なお、直流出力部１０の出力端の正極が光源モジュールＡ１の正極端子４に接続され、直流出力部１０の出力端の負極が光源モジュールＡ１の第１負極端子５又は第２負極端子６の何れか一方に接続される。
【００２１】
さらに本実施形態の点灯装置は、制御電源部１１、補助電源部１２、特性判別部１３、接続判定部１４、出力調整部１５を備えている。制御電源部１１は、例えば、交流電源ＡＣから供給される交流電力より制御電源（例えば、3.3V又は5Vの直流電源）を生成して補助電源部１２、特性判別部１３、接続判定部１４、出力調整部１５に供給している。補助電源部１２は、制御電源部１１から供給される直流電流を定電流化する電流源からなり、光源モジュールＡ１の第１負極端子５又は第２負極端子６から直流電流を供給する。
【００２２】
特性判別部１３はマイクロコンピュータを主構成要素とし、後述するように光源モジュールＡ１の第１負極端子５と第２負極端子６との間の電圧波形に基づいて、光源モジュールＡ１の情報保持部３が保持している発光ダイオード１ａ，２ａの電気特性（例えば、順電流）を判別する。接続判定部１４は、後述するように光源モジュールＡ１の第１負極端子５と第２負極端子６との間の電圧波形に基づいて点灯装置に対する光源モジュールＡ１の接続の有無を判定する。
【００２３】
出力調整部１５は、接続判定部１４で光源モジュールＡ１の接続無しと判定されている場合は直流出力部１０を停止させるとともに、接続判定部１４で光源モジュールＡ１の接続有りと判定されている場合は特性判別部１３で判別される電気特性に応じて直流出力部１０の出力電圧又は出力電流の少なくとも何れか一方を調整する。
【００２４】
一方、光源モジュールＡ１の情報保持部３は、図３に示すように交流入力端が第１負極端子５と第２負極端子６にそれぞれ接続された全波整流器（ダイオードブリッジ）ＤＢと、全波整流器ＤＢの高電位側の直流出力端にアノードが接続されたダイオードＤ１と、ダイオードＤ１のカソードと全波整流器ＤＢの低電位側の直流出力端との間に接続された平滑コンデンサＣ２並びにツェナーダイオードＺＤの並列回路とを具備している。つまり、全波整流器ＤＢの直流出力端間の電圧がツェナーダイオードＺＤのツェナー電圧Vzにクランプされるとともに平滑コンデンサＣ２で平滑化されており、補助電源部１２を定電流源とすることによってツェナーダイオードＺＤに流れるツェナー電流が適正値に制限されている。なお、図３では第１負極端子５に補助電源部１２が接続されているが、第２負極端子６に補助電源部１２が接続されていても、全波整流器ＤＢの整流作用によって平滑コンデンサＣ２の両端にツェナー電圧Vzが出力される。
【００２５】
平滑コンデンサＣ２の両端には、２つの抵抗分圧回路が互いに並列接続されている。一方の抵抗分圧回路は２つの抵抗R2,R3の直列回路からなり、第１の基準電圧Vref1を生成する。また、他方の抵抗分圧回路は２つの抵抗R4,R5の直列回路からなり、第１の基準電圧Vref1よりも低い第２の基準電圧Vref2を生成する（Vref2<Vref1）。第１の基準電圧Vref1と第２の基準電圧Vref2は、トランスファゲートＴＧを介して択一的に比較器ＣＰの非反転入力端子に入力される。この比較器ＣＰでは、第１の基準電圧Vref1又は第２の基準電圧Vref2をコンデンサＣ１の両端電圧Vc1と比較している。このコンデンサＣ１は、第１のミラー回路Ｍ１から出力される第１のミラー電流Ｉ１で充電される。なお、第１のミラー電流Ｉ１の電流値は、第１のミラー回路Ｍ１に外付けされている抵抗R1の抵抗値によって決まる。
【００２６】
また、コンデンサＣ１の充電電荷は、第２のミラー回路Ｍ２によって放電される。すなわち、第２のミラー回路Ｍ２にはスイッチング素子Ｑ１が接続され、スイッチング素子Ｑ１のオフ時に第１のミラー電流Ｉ１よりも大きい第２のミラー電流Ｉ２（Ｉ２＞Ｉ１）をコンデンサＣ１から出力させてコンデンサＣ１の充電電荷を放電する。一方、スイッチング素子Ｑ１のオン時には第２のミラー電流Ｉ２がゼロになるために第１のミラー電流Ｉ１でコンデンサＣ１が充電される。なお、スイッチング素子Ｑ１のゲートには比較器ＣＰの出力端が接続されており、比較器ＣＰの出力がＨレベルのときにスイッチング素子Ｑ１がオンとなり、比較器ＣＰの出力がＬレベルのときにスイッチング素子Ｑ１がオフとなる。
【００２７】
ここで、全波整流器ＤＢの高電位側の出力端とダイオードＤ１のアノードとの間にスイッチング素子Ｑ２と、抵抗R0及びスイッチング素子Ｑ３の直列回路とが接続され、抵抗R0とスイッチング素子Ｑ３の接続点（スイッチング素子Ｑ３のドレイン）にスイッチング素子Ｑ２のゲートが接続されている。スイッチング素子Ｑ３のゲートには比較器ＣＰの出力端が接続されており、比較器ＣＰの出力がＨレベルのときにスイッチング素子Ｑ３がオンとなってスイッチング素子Ｑ２がオフとなり、比較器ＣＰの出力がＬレベルのときにスイッチング素子Ｑ３がオフとなってスイッチング素子Ｑ２がオンとなる。
【００２８】
次に、図５のタイムチャートを参照して、情報保持部３の動作を説明する。後述するように点灯装置の補助電源部１２から定電流が供給されると、第１のミラー回路Ｍ１が動作して第１のミラー電流Ｉ１によりコンデンサＣ１が充電されてコンデンサＣ１の両端電圧Vc1が直線的に上昇する（図５（ａ）参照）。このとき、トランスファゲートＴＧは第１の基準電圧Vref1を比較器ＣＰの非反転入力端子に入力しており、コンデンサＣ１の両端電圧Vc1が第１の基準電圧Vref1よりも低いために比較器ＣＰの出力がＨレベルとなり（図５（ｂ）参照）、第２のミラー電流Ｉ２がゼロになるとともに、スイッチング素子Ｑ３がオン、スイッチング素子Ｑ２がオフとなる。そして、スイッチング素子Ｑ２のドレインに接続されている第１負極端子５の第２負極端子６に対する電位（以下、「情報保持電圧」と呼ぶ。）Voutは、全波整流器ＤＢを構成するダイオードのオン電圧と、ダイオードＤ１のオン電圧と、ツェナー電圧Vzとを合成した電圧に等しくなる（図５（ｃ）参照）。
【００２９】
コンデンサＣ１の両端電圧Vc1が上昇して第１の基準電圧Vref1を超えると（図５（ａ）参照）、比較器ＣＰの出力がＬレベルに反転し（図５（ｂ）参照）、第２のミラー回路Ｍ２が動作してコンデンサＣ１が放電されるためにコンデンサＣ１の両端電圧Vc1が徐々に低下する（図５（ａ）参照）。ここで、トランスファゲートＴＧは、比較器ＣＰの出力がＨレベルからＬレベルに切り換わったときに比較器ＣＰの非反転入力端子に出力する基準電圧を第１の基準電圧Vref1から第２の基準電圧Vref2に切り換える（図５（ｂ）参照）。そして、コンデンサＣ１の両端電圧Vc1が第２の基準電圧Vref2よりも高いために比較器ＣＰの出力がＬレベルに維持される（図５（ｂ）参照）。また、比較器ＣＰの出力がＬレベルとなるから、スイッチング素子Ｑ３がオフになってスイッチング素子Ｑ２がオンとなり、第１負極端子５の第２負極端子６に対する情報保持電圧Voutがほぼゼロとなる（図５（ｃ）参照）。
【００３０】
コンデンサＣ１の両端電圧Vc1が低下して第２の基準電圧Vref2を下回ると（図５（ａ）参照）、比較器ＣＰの出力がＨレベルに反転し（図５（ｂ）参照）、第２のミラー回路Ｍ２が停止してコンデンサＣ１が再び充電されるためにコンデンサＣ１の両端電圧Vc1が徐々に上昇する（図５（ａ）参照）。トランスファゲートＴＧは、比較器ＣＰの出力がＬレベルからＨレベルに切り換わったときに比較器ＣＰの非反転入力端子に出力する基準電圧を第２の基準電圧Vref2から第１の基準電圧Vref1に切り換える（図５（ｂ）参照）。そして、コンデンサＣ１の両端電圧Vc1が第１の基準電圧Vref1よりも低いために比較器ＣＰの出力がＨレベルに維持される（図５（ｂ）参照）。また、比較器ＣＰの出力がＨレベルとなるから、スイッチング素子Ｑ３がオンになってスイッチング素子Ｑ２がオフとなり、第１負極端子５の第２負極端子６に対する情報保持電圧Voutが全波整流器ＤＢを構成するダイオードのオン電圧と、ダイオードＤ１のオン電圧と、ツェナー電圧Vzとを合成した電圧に等しくなる（図５（ｃ）参照）。なお、比較器ＣＰの出力がＬレベルとなってスイッチング素子Ｑ２がオンしている間は、平滑コンデンサＣ２から放電される電力によって比較器ＣＰなどの各回路が引き続き動作することができる。
【００３１】
ここで、図５からも明らかなように、第１負極端子５の第２負極端子６に対する情報保持電圧Voutは、コンデンサＣ１の両端電圧Vc1が上昇する期間Ｔ１に同期して相対的に高い電圧となり、コンデンサＣ１の両端電圧Vc1が低下する期間に同期して相対的に低い電圧となるが、第１の基準電圧Vref1と第２の基準電圧Vref2の大きさを変えることで期間Ｔ１を調整することができる。例えば、分圧抵抗R2,R3の抵抗比（分圧比）を変更して第１の基準電圧Vref1'（＜Vref1）を低くすれば、図６に示すように情報保持電圧Voutが高電圧となる期間Ｔ１’が短くなる（Ｔ１’＜Ｔ１）。したがって、本実施形態の光源モジュールＡ１における情報保持部３では、分圧抵抗R2,R3の抵抗比又は分圧抵抗R4,R5の抵抗比の少なくとも何れか一方によって、発光ダイオード１ａ，２ａの電気特性に関する情報を保持している。なお、本実施形態における情報保持部３では、第１負極端子５と第２負極端子６の間に全波整流器ＤＢを接続しているから、補助電源部１２を第２負極端子６に接続した場合にも、上述したように第１負極端子５に接続した場合と同様に動作することは明らかである。
【００３２】
例えば、順電圧が3.5V，順電流が0.3Aの電気特性を有する４９個の発光ダイオード１ａが順方向に直列接続されてなる第１発光部１と、同一の電気特性を有する２個の発光ダイオード２ａが並列接続されてなる第２発光部２とを備える光源モジュールＡ１においては、情報保持部３の情報保持電圧Voutが高電圧となる期間をＴ１に設定する。その一方、順電圧が3.5V，順電流が0.25Aの電気特性を有する４９個の発光ダイオード１ａが順方向に直列接続されてなる第１発光部１と、同一の電気特性を有する２個の発光ダイオード２ａが並列接続されてなる第２発光部２とを備える光源モジュールＡ１’においては、情報保持部３の情報保持電圧Voutが高電圧となる期間をＴ１’に設定する。
【００３３】
点灯装置の特性判別部１３は、光源モジュールＡ１，Ａ１’の第１負極端子５と第２負極端子６の間に印加される情報保持電圧Voutが高電圧となる期間を検出し、その期間がＴ１又はＴ１'の何れであるかによって、接続されている光源モジュールＡ１又はＡ１'の電気特性（実際は発光ダイオード１ａ，２ａの電気特性）を判別する。ここで、特性判別部１３では、前記期間Ｔ１，Ｔ１’と発光ダイオード１ａ，２ａの電気特性（例えば、順電流値）との対応関係を表すデータテーブルをメモリ（図示せず）に記憶しており、検出した期間Ｔ１，Ｔ１’に対応する順電流値を前記データテーブルから読み出すとともに、直流出力部１０の出力電流を読み出した順電流値に等しくするように出力調整部１５に指示する。ただし、期間Ｔ１，Ｔ１’と発光ダイオード１ａ，２ａの電気特性との対応関係をデータテーブルで表す代わりに、図７に示すような１次関数としてメモリに記憶しておき、当該１次関数を利用して期間Ｔ１，Ｔ１’から発光ダイオード１ａ，２ａの電気特性を演算してもよい。また、本実施形態では情報保持部３が保持する電気特性の情報を順電流値としたが、これに限定する趣旨ではなく、順電圧値又は順電流値と順電圧値の両方を電気特性の情報として保持してもよい。
【００３４】
ところで、点灯装置において光源モジュールＡ１又はＡ１’の第１負極端子５及び第２負極端子６と接続される端子（図示せず）間の電圧は、光源モジュールＡ１又はＡ１’が接続されていないときは制御電源部１１の制御電圧Vccに等しく、光源モジュールＡ１又はＡ１’が接続されているときはツェナー電圧Vzにクランプされて制御電圧よりも低い電圧（情報保持電圧Vout）となる。そこで、制御電圧Vccよりも低く且つ情報保持電圧Voutよりも高いしきい値電圧Vref3と、光源モジュールＡ１又はＡ１’の第１負極端子５及び第２負極端子６と接続される端子間の電圧（以下、検出電圧と呼ぶ。）とを接続判定部１４で比較し、検出電圧がしきい値電圧Vref3を超えていれば光源モジュールＡ１又はＡ１’が接続されていない（接続無し）と判定し、検出電圧がしきい値電圧Vref3を下回っていれば光源モジュールＡ１又はＡ１’が接続されている（接続有り）と判定することができる（図８（ａ）参照）。そして、接続判定部１４では、接続無しと判定した場合に出力調整部１５に停止信号を出力して直流出力部１０の動作を停止させるとともに、特性判別部１３にも停止信号を出力して特性判別の動作を停止させる。
【００３５】
次に、図８のタイムチャートを参照して、点灯装置の接続判定部１４の動作を具体的に説明する。図８に示すように、時刻ｔ＝ｔ０までは点灯装置に光源モジュールＡ１又はＡ１’が接続されていないため、接続判定部１４から出力調整部１５に停止信号が出力されて直流出力部１０が停止している。そして、時刻ｔ＝ｔ０で点灯装置に光源モジュールＡ１又はＡ１’が接続されると、点灯装置の補助電源部１２から第１負極端子５又は第２負極端子６を介して光源モジュールＡ１又はＡ１’に定電流が供給されて平滑コンデンサＣ２が充電される。このとき、平滑コンデンサＣ２の両端電圧Vc2がツェナー電圧Vzに達する時点（時刻ｔ＝ｔ１）までは情報保持部３の動作が過渡状態にあるので、情報保持部３が保持している電気特性の情報を特性判別部１３が誤判別する虞がある。そこで接続判定部１４では、接続有りと判定した時点から所定期間（時刻ｔ＝ｔ０から時刻ｔ＝ｔ１までの期間）には出力調整部１５並びに特性判別部１３に対する停止信号の出力を継続し、情報保持部３の動作が安定した後（時刻ｔ＝ｔ１以降）、出力調整部１５並びに特性判別部１３に対する停止信号の出力を中止している。これにより、特性判別部１３の誤判別によって直流出力部１０から過大な直流出力が光源モジュールＡ１又はＡ１’に印加されることを防止できる。
【００３６】
所定期間の経過後に接続判定部１４が停止信号の出力を止めると、その時点では情報保持部３が正常に動作しているので、特性判別部１３は情報保持部３が保持している電気特性の情報を正しく判別することができる。そして、特性判別部１３において電気特性の情報が判別されると（時刻ｔ＝ｔ２）、出力調整部１５から直流出力部１０に駆動信号（直流出力部１０を構成するチョッパ回路のスイッチング素子を駆動する信号）が出力され、光源モジュールＡ１又はＡ１’の電気特性に適した直流出力が直流出力部１０から供給される。
【００３７】
上述のように本実施形態の光源モジュールＡ１（又はＡ１’）は、第１発光部１の発光ダイオード１ａ並びに第２発光部２の発光ダイオード２ａの電気特性に関する情報を情報保持部３に保持し、当該情報に応じて点灯装置から適切な直流電流を供給させるので、使用される発光ダイオード１ａ，２ａの電気特性に合わない過大な電流が流れることを防ぐことができる。また、情報保持部３が第１負極端子５と第２負極端子６との間に設けられた全波整流器ＤＢを具備しており、点灯装置の補助電源部１２が第１負極端子５と第２負極端子６の何れにも接続可能であるから、点灯装置並びに光源モジュールＡ１（又はＡ１’）の配線の複雑化を抑えることができる。さらに、情報保持部３では第１負極端子５と第２負極端子６との間に印加される情報保持電圧Voutが高電圧となる期間（Ｔ１又はＴ１’）を伸縮することにより、全波整流器ＤＢを介して入力される電圧波形を電気特性に関する情報に応じて整形している。よって、従来例のように、フラッシュメモリなどの電気的に書換可能な不揮発性の半導体メモリを搭載する必要が無いから、光源モジュールＡ１，Ａ１’の製造コストの上昇を抑えることができる。しかも、特性判別部１３では、補助電源部１２から電源供給される端子（第１負極端子５及び第２負極端子６）を利用して情報保持部３の電気特性に関する情報を判別するので、省配線化が図れるという利点もある。
【００３８】
さらに本実施形態では、第１負極端子５と第２負極端子６との間に印加される電圧に基づいて、点灯装置の接続判定部１４で光源モジュールＡ１，Ａ１’の接続の有無を判定し、接続無しと判定されたときには直流出力部１０を停止している。故に、接続の有無を判定するために別配線を設ける必要が無いことから省配線化が図れるとともに、光源モジュールＡ１，Ａ１’が接続されていないときには直流出力部１０を停止することで省電力化も図れる。
【００３９】
なお、本実施形態の光源モジュールＡ１は、直管形の蛍光ランプに類似した形状を有しているが、これに限定する趣旨ではない。例えば、円盤状のプリント配線板に第１発光部１と第２発光部２並びに情報保持部３を実装し、円筒形の筐体内に収納してもよい。
【００４０】
（実施形態２）
本実施形態の点灯装置は、図９に示すように複数（図示例では２つ）の光源モジュールＡ１，Ａ１が接続可能であって、これら複数の光源モジュールＡ１，Ａ１を同時に点灯させることができる点に特徴がある。ただし、本実施形態の点灯装置の基本構成は実施形態１の点灯装置と共通であるから、実施形態１の点灯装置と共通の構成要素には同一の符号を付して説明を省略する。なお、本実施形態の光源モジュールＡ１は実施形態１の光源モジュールＡ１と同一である。
【００４１】
本実施形態の点灯装置は、それぞれ異なる光源モジュールＡ１，Ａ１の第１負極端子５又は第２負極端子６に直流電流を供給する複数（図示例では２つ）の補助電源部１２，１２を備えている点と、２つの光源モジュールＡ１，Ａ１の情報保持部３，３が保持する電気特性に関する情報を特性判別部１３がそれぞれ個別に判別する点と、２つの光源モジュールＡ１，Ａ１の接続の有無を接続判定部１４が個別に判定する点とが実施形態１の点灯装置と異なる。
【００４２】
ここで、本実施形態の点灯装置では、１つの直流出力部１０から２つの光源モジュールＡ１，Ａ１に直流出力を供給するので、接続される全ての光源モジュールＡ１，Ａ１の電気特性が同一であることが望ましい。以下では、実施形態１で説明したように電気特性が異なる２種類の光源モジュールＡ１，Ａ１’が点灯装置に接続された場合の動作について説明する。
【００４３】
一方の光源モジュールＡ１の電気特性と、他方の光源モジュールＡ１’の電気特性とが異なっていた場合、特性判別部１３は、出力調整部１５に停止信号を出力することで直流出力部１０を停止させる。この場合、２つの光源モジュールＡ１，Ａ１’は何れも点灯しない。あるいは、一方の光源モジュールＡ１’の順電流（0.25A）が他方の光源モジュールＡ１の順電流（0.3A）よりも低いので、直流出力部１０の出力電流を低い方の順電流値（0.25A）と等しくするように、特性判別部１３が出力調整部１５に指示してもよい。この場合、直流出力部１０の出力電流が２つの光源モジュールＡ１，Ａ１’に分流されるので、光源モジュールＡ１’に流れる電流は電気特性の順電流値（0.25A）よりも低くなるが、２つの光源モジュールＡ１，Ａ１’を双方とも点灯させることができる。なお、接続判定部１４の判定動作は実施形態１と共通であるから説明を省略する。
【００４４】
上述のように本実施形態の点灯装置では、複数の光源モジュールＡ１，Ａ１（又はＡ１‘，Ａ１’）を点灯することができるとともに、電気特性が異なる光源モジュールＡ１，Ａ１’が誤って接続された場合においても、過大な電流を光源モジュールＡ１，Ａ１’に流すことがなく、光源モジュールＡ１，Ａ１’に不具合を生じさせる虞がない。
【００４５】
（実施形態３）
本実施形態の点灯装置は、図１０に示すように複数（図示例では２つ）の光源モジュールＡ２，Ａ２が接続可能であって、これら複数の光源モジュールＡ２，Ａ２を同時に点灯させることができる点で実施形態２の点灯装置と共通である。本実施形態の点灯装置は、補助電源部１２が１つである点と、特性判別部１３及び接続判定部１４に対して光源モジュールＡ２，Ａ２の第１負極端子５並びに第２負極端子６が並列接続されている点と、補助電源部１２の回路構成とが実施形態２の点灯装置と異なっている。ただし、本実施形態の点灯装置の基本構成は実施形態２の点灯装置と共通であるから、実施形態２の点灯装置と共通の構成要素には同一の符号を付して説明を省略する。また、本実施形態の光源モジュールＡ２は、情報保持部３の回路構成のみが実施形態１の光源モジュールＡ１と異なっている。
【００４６】
本実施形態の点灯装置における補助電源部１２は、図１１に示すように抵抗１２ａとスイッチング素子１２ｂの直列回路で構成されている。スイッチング素子１２ｂは、特性判別部１３によってスイッチング制御される。つまり、特性判別部１３がスイッチング素子１２ｂをオンしている間だけ補助電源部１２から光源モジュールＡ２，Ａ２に直流電流が供給される。
【００４７】
一方、光源モジュールＡ２の情報保持部３においては、図１１に示すようにスイッチング素子Ｑ２のドレインが抵抗R9を介してダイオードＤ１のアノード並びに全波整流器ＤＢの高電位側の出力端に接続されている。ここで、ツェナーダイオードＺＤに流れるツェナー電流は、補助電源部１２の抵抗１２ａによって所定値に制限されている。なお、図１１では第１負極端子５に補助電源部１２が接続されているが、第２負極端子６に補助電源部１２が接続されていても、全波整流器ＤＢの整流作用によって平滑コンデンサＣ２の両端にツェナー電圧Vzが出力される。
【００４８】
平滑コンデンサＣ２の両端間には、ミラー回路Ｍ３とコンデンサＣ３の直列回路が接続されている。このコンデンサＣ３は、ミラー回路Ｍ３から出力されるミラー電流（定電流）で充電される。なお、このミラー電流の電流値は、ミラー回路Ｍ３に外付けされた抵抗R8の抵抗値によって決まる。
【００４９】
また、ミラー回路Ｍ３とコンデンサＣ３の接続点が比較器ＣＰの反転入力端子に接続されている。この比較器ＣＰでは、ツェナー電圧Vzを２つの分圧抵抗R6,R7で分圧して生成された基準電圧Vref4と、コンデンサＣ３の両端電圧Vc3とを比較している。そして、比較器ＣＰの出力端がスイッチング素子Ｑ３のゲートに接続され、比較器ＣＰの出力がＨレベルのとき（Vref4＞Vc3）、スイッチング素子Ｑ３がオンとなってスイッチング素子Ｑ２がオフとなり、比較器ＣＰの出力がＬレベルのとき（Vref4≦Vc3）、スイッチング素子Ｑ３がオフとなってスイッチング素子Ｑ２がオンとなる。
【００５０】
次に、図１２のタイムチャートを参照して、情報保持部３の動作を説明する。点灯装置の特性判別部１３は、図１２（ａ）に示すように所定期間Ｔ２だけスイッチング素子１２ｂをオンして補助電源部１２から光源モジュールＡ２，Ａ２の情報保持部３に直流電流を供給する。情報保持部３では、所定期間だけツェナー電圧Vzが発生してミラー回路Ｍ３が動作し、ミラー電流によってコンデンサＣ３が充電されてコンデンサＣ３の両端電圧Vc3が直線的に上昇する（図１２（ｃ）参照）。このとき、コンデンサＣ３の両端電圧Vc3が基準電圧Vref4よりも低いために比較器ＣＰの出力がＨレベルとなり（図１２（ｄ）参照）、スイッチング素子Ｑ３がオン、スイッチング素子Ｑ２がオフとなる。そして、スイッチング素子Ｑ２のドレインに接続されている第１負極端子５の第２負極端子６に対する電位（情報保持電圧Vout）は、全波整流器ＤＢを構成するダイオードのオン電圧と、ダイオードＤ１のオン電圧と、ツェナー電圧Vzとを合成した電圧に等しくなる（図１２（ｅ）参照）。
【００５１】
コンデンサＣ３の両端電圧Vc3が上昇して基準電圧Vref4を超えると（図１２（ｃ）参照）、比較器ＣＰの出力がＬレベルに反転し（図１２（ｄ）参照）、スイッチング素子Ｑ３がオフになってスイッチング素子Ｑ２がオンとなる。このとき、情報保持電圧Voutは、制御電源部１１から出力される制御電圧を、補助電源部１２の抵抗１２ａとスイッチング素子Ｑ２のドレインに接続された抵抗R9とで分圧した電圧に低下する（図１２（ｅ）参照）。
【００５２】
ここで、情報保持電圧Voutが所定期間Ｔ２内で相対的に高い電圧となる期間（高電圧期間）Ｔ３は、基準電圧Vref4の大きさによって変化する。例えば、分圧抵抗R6,R7の抵抗比（分圧比）を変更して基準電圧Vref4を低くすれば、高電圧期間Ｔ３を短縮することができる。したがって、本実施形態の光源モジュールＡ２における情報保持部３では、分圧抵抗R6,R7の抵抗比によって、発光ダイオード１ａ，２ａの電気特性に関する情報を保持している。なお、本実施形態における情報保持部３では、第１負極端子５と第２負極端子６の間に全波整流器ＤＢを接続しているから、補助電源部１２を第２負極端子６に接続した場合にも、上述したように第１負極端子５に接続した場合と同様に動作することは明らかである。
【００５３】
一方、点灯装置の特性判別部１３は、情報保持電圧Voutを所定のしきい値電圧Vref5と比較することで高電圧期間Ｔ３を検出し、検出した高電圧期間Ｔ３の長さに基づいて光源モジュールＡ２の電気特性を判別している（図１２（ｅ）参照）。
【００５４】
ところで、実施形態２でも説明したように、電気特性が異なる２種類の光源モジュールＡ２，Ａ２’が本実施形態の点灯装置に誤って接続される場合が考えられる。例えば、一方の光源モジュールＡ２の電気特性が順電圧3.5V，順電流0.3Aであり、他方の光源モジュールＡ２’の電気特性が順電圧3.5V，順電流0.25Aであって、電気特性に関する情報として順電流値に正比例した高電圧期間Ｔ３が設定されているものとする。この場合、２種類の光源モジュールＡ２，Ａ２’の第１負極端子５並びに第２負極端子６が特性判別部１３に対して並列接続されているので、高電圧期間Ｔ３が相対的に短い方の種類の光源モジュールＡ２’の電気特性が優先的に特性判別部１３で判別されることになる。よって、直流出力部１０の出力電流を低い方の順電流値（0.25A）と等しくするように、特性判別部１３が出力調整部１５に指示して、２つの光源モジュールＡ２，Ａ２’を双方とも点灯させることができる。なお、接続判定部１４の判定動作は実施形態１と共通であるから説明を省略する。
【００５５】
上述のように本実施形態の点灯装置においても、複数の光源モジュールＡ２，Ａ２（又はＡ２‘，Ａ２’）を点灯することができるとともに、電気特性が異なる光源モジュールＡ２，Ａ２’が誤って接続された場合においても、過大な電流を光源モジュールＡ２，Ａ２’に流すことがなく、光源モジュールＡ２，Ａ２’に不具合を生じさせる虞がない。しかも、本実施形態では光源モジュールＡ２，Ａ２’が備える情報保持部３の回路構成並びに点灯装置と光源モジュールＡ２，Ａ２を接続する配線を、実施形態１，２よりも簡素化することができる。
【００５６】
（実施形態４）
本実施形態の光源モジュールＡ３の回路構成を図１３に示す。この光源モジュールＡ３は、第１発光部１における最後尾の発光ダイオード１ａのアノードにそれぞれのカソードが並列接続された複数（図示例では４個）の発光ダイオード２a1’〜２a4’からなる第３発光部２’と、第３発光部２’の１つの発光ダイオード２a1’のアノードに接続された第１正極端子４ａと、第１正極端子４ａに接続されていない別の１つの発光ダイオード２a2’のアノードに接続された第２正極端子４ｂと、第１正極端子４ａと第２正極端子４ｂの間に接続されて情報保持部３と同じ情報を保持する第２情報保持部３’とを備えている。また、第３発光部２’における複数の発光ダイオード２a1’〜２a4’のうちで第１正極端子４ａ及び第２正極端子４ｂの何れとも接続されていない２つの発光ダイオード２a3‘，２a4’のアノードがそれぞれ第１負極端子５又は第２負極端子６と接続されている。さらに、第２発光部２における複数（図示例では４個）の発光ダイオード２a1〜２a4のうちで第１負極端子５及び第２負極端子６の何れとも接続されていない２つの発光ダイオード２a3，２a4のカソードがそれぞれ第１正極端子４ａ又は第２正極端子４ｂと接続されている。ただし、第１発光部１の発光ダイオード１ａと第２発光部２の発光ダイオード２a1〜２a4と第３発光部２’の発光ダイオード２a1’〜２a4’は、光源モジュールＡ３の発光にむらがでないように電気特性及び光学特性が同一若しくは類似していることが望ましい。また、発光ダイオード１ａ，２a1〜２a4，２a1’〜２a4’の個数は上記個数に限定されるものではない。なお、情報保持部３及び第２情報保持部３’の回路構成は、実施形態１，２又は実施形態３の光源モジュールＡ１，Ａ２と共通であるから図示並びに説明を省略する。
【００５７】
ここで、第１正極端子４ａから第２負極端子６に至る経路では、第３発光部２’の発光ダイオード２a1’と、第１発光部１の発光ダイオード１ａと、第２発光部２の発光ダイオード２a1とが順方向に接続されている。また、第１正極端子４ａから第１負極端子５に至る経路では、第３発光部２’の発光ダイオード２a1’と、第１発光部１の発光ダイオード１ａと、第２発光部２の発光ダイオード２a2とが順方向に接続されている。したがって、点灯装置の出力端の正極を第１正極端子４ａに接続するとともに出力端の負極及び補助電源部１２の出力端子をそれぞれ第１負極端子５又は第２負極端子６に接続すれば、点灯装置の特性判別部１３が第１及び第２負極端子５，６間に接続されている情報保持部３の電気特性を判別し、光源モジュールＡ３に適切な直流出力を供給して点灯させることができる。
【００５８】
同様に、第２正極端子４ｂから第２負極端子６に至る経路では、第３発光部２’の発光ダイオード２a2’と、第１発光部１の発光ダイオード１ａと、第２発光部２の発光ダイオード２a1とが順方向に接続されている。また、第２正極端子４ｂから第１負極端子５に至る経路では、第３発光部２’の発光ダイオード２a2’と、第１発光部１の発光ダイオード１ａと、第２発光部２の発光ダイオード２a2とが順方向に接続されている。したがって、点灯装置の出力端の正極を第２正極端子４ｂに接続するとともに出力端の負極及び補助電源部１２の出力端子をそれぞれ第１負極端子５又は第２負極端子６に接続しても、点灯装置の特性判別部１３が第１及び第２負極端子５，６間に接続されている情報保持部３の電気特性を判別し、光源モジュールＡ３に適切な直流出力を供給して点灯させることができる。
【００５９】
一方、第１負極端子５から第２正極端子４ｂに至る経路では、第３発光部２’の発光ダイオード２a3’と、第１発光部１の発光ダイオード１ａと、第２発光部２の発光ダイオード２a3とが順方向に接続されている。また、第１負極端子５から第１正極端子４ａに至る経路では、第３発光部２’の発光ダイオード２a3’と、第１発光部１の発光ダイオード１ａと、第２発光部２の発光ダイオード２a4とが順方向に接続されている。したがって、点灯装置の出力端の正極を第１負極端子５に接続するとともに出力端の負極及び補助電源部１２の出力端子をそれぞれ第１正極端子４ａ又は第２正極端子４ｂに接続すれば、点灯装置の特性判別部１３が第１及び第２正極端子４ａ，４ｂ間に接続されている第２情報保持部３’の電気特性を判別し、光源モジュールＡ３に適切な直流出力を供給して点灯させることができる。
【００６０】
同様に、第２負極端子６から第２正極端子４ｂに至る経路では、第３発光部２’の発光ダイオード２a4’と、第１発光部１の発光ダイオード１ａと、第２発光部２の発光ダイオード２a3とが順方向に接続されている。また、第２負極端子６から第１正極端子４ａに至る経路では、第３発光部２’の発光ダイオード２a4’と、第１発光部１の発光ダイオード１ａと、第２発光部２の発光ダイオード２a4とが順方向に接続されている。したがって、点灯装置の出力端の正極を第２負極端子６に接続するとともに出力端の負極及び補助電源部１２の出力端子をそれぞれ第１正極端子４ａ又は第２正極端子４ｂに接続しても、点灯装置の特性判別部１３が第１及び第２正極端子４ａ，４ｂ間に接続されている第２情報保持部３’の電気特性を判別し、光源モジュールＡ３に適切な直流出力を供給して点灯させることができる。
【００６１】
上述のように本実施形態の光源モジュールＡ３では、第１正極端子４ａ、第２正極端子４ｂ、第１負極端子５、第２負極端子６と点灯装置の出力端との接続関係が規制されていないので、点灯装置に対して誤った向きに接続されるという不具合が生じない。
【００６２】
第１発光部１及び第２発光部２、第３発光部２’は、図１４に示すように長尺の矩形平板状に形成されたプリント配線板７の片面（図１４における上面）に実装されている（ただし、発光ダイオードの図示は一部省略している）。また図示は省略しているが、プリント配線板７のもう片面（図１４における下面）における長手方向の一端側（第１負極端子５及び第２負極端子６が設けられている側）に情報保持部３が実装され、その他端側に第２情報保持部３’が実装されている。そして、透光性材料によって円筒形に形成された筐体８の内部にプリント配線板７が収納される。筐体８の両端を閉塞する口金９の一方から丸ピン型の第１正極端子４ａ並びに第２正極端子４ｂが突設され、他方の口金９から同じく丸ピン型の第１負極端子５並びに第２負極端子６が突設されている。なお、第１正極端子４ａ並びに第２正極端子４ｂと、第１負極端子５並びに第２負極端子６とは、同一の形状、寸法、間隔に形成されている。
【００６３】
本実施形態の光源モジュールＡ３は、例えば、図１５に示す照明器具に装着される。この照明器具は、天井に直付けされる器具本体２０と、器具本体２０に設けられて光源モジュールＡ３が着脱自在に装着される一対のソケット２１，２１とを備えている。
【００６４】
器具本体２０は、長手方向から見た側面形状が台形である長尺の角筒状に形成され、その内部に点灯装置を収納している。そして、器具本体２０の下面における長手方向両端部にそれぞれソケット２１，２１が配設されている。このソケット２１，２１は、従来周知である直管形の蛍光ランプ用のソケットと同一構造を有している。そして、光源モジュールＡ３の第１正極端子４ａ、第２正極端子４ｂ、第１負極端子５、第２負極端子６がそれぞれソケット２１，２１を介して点灯装置と接続される。
【００６５】
而して、本実施形態の光源モジュールＡ３は第１正極端子４ａ、第２正極端子４ｂ、第１負極端子５、第２負極端子６と点灯装置の出力端との接続関係が規制されておらず、しかも、上述のように第１正極端子４ａ並びに第２正極端子４ｂと、第１負極端子５並びに第２負極端子６とは、同一の形状、寸法、間隔に形成されている。そのため、照明器具のソケット２１，２１に対する接続関係が規制されず、光源モジュールＡ３の装着作業や器具本体２０内に収納された点灯装置とソケット２１，２１との配線作業などが容易になるという利点がある。
【００６６】
（実施形態５）
本実施形態の点灯装置の回路構成を図１６に示す。ただし、実施形態１〜４の点灯装置と共通の構成には同一の符号を付して説明を省略する。また、本実施形態の光源モジュールＡ４は、情報保持部３が抵抗３ａで構成されている点を除けば、実施形態１の光源モジュールＡ１と共通の構成を有している。
【００６７】
点灯装置の直流出力部１０は、ドレインが直流電源ＤＣの正極に接続されたスイッチング素子１０ａと、スイッチング素子１０ａのソースに一端が接続されたインダクタ１０ｂと、スイッチング素子１０ａのソースにカソードが接続されるとともにアノードがグランドに接続されたダイオード１０ｃと、インダクタ１０ｂの他端に高電位側が接続されるとともに低電位側が検出抵抗Rxを介してダイオード１０ｃのアノードに接続された平滑コンデンサ１０ｄとを備えた従来周知の降圧チョッパ回路で構成されている。なお、直流電源ＤＣは、交流電源が整流平滑されるか、あるいは昇圧チョッパ回路などを用いて構成される。
【００６８】
出力調整部１５は、直流出力部１０のスイッチング素子１０ａのゲートに駆動信号を出力するドライバ回路１５ａと、ドライバ回路１５ａから出力される駆動信号のオン時間Ｔonを制御するフィードバック制御回路１５ｂとを具備している。フィードバック制御回路１５ｂは、オペアンプOPと、オペアンプOPの反転入力端子に接続された抵抗R11と、オペアンプOPの反転入力端子と出力端子の間に挿入接続されたコンデンサC10と、オペアンプOPの出力端子にカソードが接続されたダイオードD10と、ダイオードD10のアノードに一端が接続された抵抗R12とを有している。オペアンプOPは、検出抵抗Rxの検出電圧（直流出力部１０の出力電流に比例した電圧）が抵抗R11を介して反転入力端子に入力され、特性判別部１３から出力される電流設定信号が非反転入力端子に入力される。オペアンプOPと抵抗R11とコンデンサC10によって、従来周知の積分回路が構成されている。ただし、オペアンプOPの非反転入力端子は、通常接地されているのであるが、本実施形態では特性判別部１３の出力端子に接続されている。したがって、オペアンプOPの出力端子には検出電圧を単純に積分した電圧ではなく、検出電圧に電流設定信号（オフセット電圧）を加えた電圧が出力される。つまり、光源モジュールＡ４の情報保持部３が保持している順電流値に応じて電流設定信号が大きくなるほど、オペアンプOPの出力電圧が低くなる。
【００６９】
ドライバ回路１５ａは汎用の集積回路からなり、駆動信号を出力する出力端子Hout、オン期間Ｔonを制御するためのオンパルス幅制御端子Pls、制御電源部１１から制御電源が供給される制御電源端子Vcc、駆動信号の出力を停止させるためのリセット端子Resetなどを有している。ドライバ回路１５ａ内において、オンパルス幅制御端子Plsに接続される回路は、例えば定電圧バッファ回路、カレントミラー回路、駆動信号設定用コンデンサなどで構成されている。定電圧バッファ回路の出力端に接続されたオンパルス幅制御端子Plsが外付けの抵抗R13を介してグランドに接続されており、オンパルス幅制御端子Plsから抵抗R13を介して流れる電流Iplsと等しい電流がカレントミラー回路から出力される。そして、カレントミラー回路の出力電流で充電される駆動信号設定用コンデンサの両端電圧が所定電圧に達するまでの時間がオン期間Ｔonとなる。ここで、オンパルス幅制御端子Plsと抵抗R13の接続点が抵抗R12とダイオードD10を介してオペアンプOPの出力端子に接続されている。したがって、オペアンプOPの出力電圧が低下するにつれてオンパルス幅制御端子Plsから出力される電流Iplsが増大し、その結果、オン期間Ｔonが短縮される（図１７参照）。
【００７０】
而して、直流出力部１０の出力電流が増大すると検出抵抗Rxの検出電圧が上昇し、フィードバック制御回路１５ｂのオペアンプOPの出力電圧が低下するので、ドライバ回路１５ａの出力端子Houtから出力される駆動信号のオン期間Ｔonが短縮されて直流出力部１０の出力電流が減少することになる。
【００７１】
なお、ドライバ回路１５ａにおいては、制御電源端子Vccと昇圧制御電源端子HVccの間に整流用のダイオードD11が外付けされるとともに、直流出力部１０のスイッチング素子１０ａのソースに接続された昇圧制御電源グランド端子HgndとダイオードD11のカソードの間にコンデンサC11が外付けされている。そして、外付けされたコンデンサC11に充電される充電電圧により、出力端子Houtから出力される駆動信号用の電源が作成される。
【００７２】
次に、本実施形態における情報保持部３、特性判別部１３、接続判定部１４の動作を説明する。
【００７３】
ここで、点灯装置に光源モジュールＡ４が接続され、直流出力部１０が停止している場合、検出抵抗Rxの抵抗値を数オーム以下とし、情報保持部３を構成する抵抗３ａの抵抗値を数十キロオーム以上とすれば、第１負極端子５と第２負極端子６の間に印加される情報保持電圧Voutに対する検出抵抗Rxの影響を無視することができる。すなわち、情報保持電圧Voutは、補助電源部１２から供給される直流電流の電流値と、情報保持部３を構成する抵抗３ａの抵抗値のみで決まるとみなしてよい。したがって、情報保持電圧Voutの電圧値が抵抗３ａの抵抗値に比例して変化するとすれば、図１８に示すように電気特性の情報（順電流値Iout）を抵抗３ａの抵抗値として情報保持部３に保持させることができる。
【００７４】
一方、点灯装置に光源モジュールＡ４が接続され、直流出力部１０が動作している場合、例えば、光源モジュールＡ４の順電流値Ioutを0.35Aとすると、直流出力部１０のインダクタ１０ｂに流れる電流のピーク値は約0.7Aとなる。このとき、検出抵抗Rxの抵抗値を１Ωとすれば、検出電圧は0Vから0.7Vまで変化し、情報保持電圧Voutもスイッチング素子１０ａのスイッチング動作に応じて変動してしまう。したがって、特性判別部１３が情報保持電圧Voutに基づいて光源モジュールＡ４の電気特性を正しく判別するためには、直流出力部１０が停止しているときに判別処理を行う必要がある。
【００７５】
点灯装置に光源モジュールＡ４が接続されていない場合、補助電源部１２から供給される直流電流が、補助電源部１２の出力端とグランドの間に接続されている抵抗R14に流れるため、この抵抗R14の両端電圧（情報保持電圧Vout）が上昇する。故に、接続判定部１４では、情報保持電圧Voutが所定のしきい値電圧Vref6を超えていれば、光源モジュールＡ４の接続無しと判定して停止信号を出力するが、情報保持電圧Voutがしきい値電圧Vref6以下であれば、光源モジュールＡ４の接続有りと判定して停止信号を出力しない。停止信号は出力調整部１５のドライバ回路１５ａのリセット端子Resetに入力されており、停止信号が入力されている間、ドライバ回路１５ａの出力端子Houtから駆動信号が出力されずに直流出力部１０が停止する。
【００７６】
以下、図１９に示すタイムチャートを参照し、直流電源ＤＣの投入から光源モジュールＡ４が点灯するまでの動作を詳細に説明する。
【００７７】
直流電源ＤＣの投入後、制御電源部１１の制御電圧が徐々に上昇し（図１９（ａ），（ｂ）参照）、時刻ｔ＝ｔ０において所定レベルに達すると、補助電源部１２から一定の直流電流が出力される（図１９（ｃ）参照）。時刻ｔ＝ｔ０より、特性判別部１３並びに接続判定部１４が動作を開始するが、接続判定部１４は、時刻ｔ＝ｔ０から所定期間が経過するまでの間（時刻ｔ＝ｔ０〜ｔ２の間）、光源モジュールＡ４の接続有無に関係なく、停止信号を出力する（図１９（ｄ）参照）。
【００７８】
一方、特性判別部１３は、前記所定期間よりも短い判別期間が経過するまでの間（時刻ｔ＝ｔ０〜ｔ１の間）に、情報保持電圧Voutに基づいて電気特性の情報（例えば、順電流値）を判別し、判別した順電流値に対応した電流設定信号を出力する（図１９（ｅ）参照）。
【００７９】
時刻ｔ＝ｔ２の時点で点灯装置に光源モジュールＡ４が接続されている場合、接続判定部１４が接続有りと判定して停止信号を出力しなくなるので（図１９（ｄ）参照）、出力調整部１５から駆動信号が出力されて直流出力部１０が動作を開始する（図１９（ｆ）参照）。
【００８０】
また、時刻ｔ＝ｔ２の時点で点灯装置に光源モジュールＡ４が接続されていない場合、接続判定部１４が接続無しと判定して停止信号の出力を継続するので、出力調整部１５から駆動信号が出力されずに直流出力部１０が動作を開始しない。ただし、特性判別部１３では繰り返し特性判別の処理を行う。
【００８１】
ところで、情報保持部３の故障等によって光源モジュールＡ４の第１負極端子５と第２負極端子６が短絡すると、情報保持電圧Voutがゼロボルト付近まで低下する。したがって、接続判定部１４において、しきい値電圧Vref6よりも十分に低い値に設定されたしきい値電圧Vref7と情報保持電圧Voutを比較し、情報保持電圧Voutがしきい値電圧Vref7以下となったときに停止信号を出力して直流出力部１０の動作を停止させることが望ましい。
【００８２】
なお、特性判別部１３は出力調整部１５から駆動信号が出力された後に特性判別の処理を中止してもよい。また、図２０に示すように、情報保持電圧Voutに対して電気特性の情報（順電流値Iout）を段階的に設定するようにしても構わない。
【００８３】
上述のように本実施形態の点灯装置では、出力調整部１５が直流出力部１０の出力電流をフィードバック制御しているため、光源モジュールＡ４に供給される直流電流をより安定化することができる。
【符号の説明】
【００８４】
Ａ１  光源モジュール
１  第１発光部
１ａ  発光ダイオード
２  第２発光部
２ａ  発光ダイオード
３  情報保持部
４  正極端子
５  第１負極端子
６  第２負極端子
【図１】
0005406764.tif 000002
【図２】
0005406764.tif 000003
【図３】
0005406764.tif 000004
【図４】
0005406764.tif 000005
【図５】
0005406764.tif 000006
【図６】
0005406764.tif 000007
【図７】
0005406764.tif 000008
【図８】
0005406764.tif 000009
【図９】
0005406764.tif 000010
【図１０】
0005406764.tif 000011
【図１１】
0005406764.tif 000012
【図１２】
0005406764.tif 000013
【図１３】
0005406764.tif 000014
【図１４】
0005406764.tif 000015
【図１５】
0005406764.tif 000016
【図１６】
0005406764.tif 000017
【図１７】
0005406764.tif 000018
【図１８】
0005406764.tif 000019
【図１９】
0005406764.tif 000020
【図２０】
0005406764.tif 000021